(57)【要約】【課題】プロジェクタ装置の小型化を図る。【解決手段】プロジェクタ装置１は、筐体１１の前面から外方を臨んだ投写レンズ１３と、筐体１１に内蔵された交換可能なランプと、筐体１１の前面でランプの交換口１１ｂを塞いだランプドア１４と、投写レンズ１３を保護するレンズカバー１５とを備えている。レンズカバー１５は、筐体１１の前縁部を側板１５ａ，１５ｂで挟み込んで、筐体１１の前面を覆う。レンズカバー１５は、側板１５ａ，１５ｂと向き合った筐体１１の上面及び下面で、スライド機構２によりスライド自在に支持されている。レンズカバー１５は、筐体１１の前面に沿ってスライドしてランプドア１４又は投写レンズ１３を覆う。【選択図】  図１
2010113132.tif 000002
【特許請求の範囲】
【請求項１】
筐体の一面から外方を臨んだ投写レンズと、前記筐体に内蔵された交換可能なランプと、前記一面で前記ランプの交換口を塞いだランプドアと、前記投写レンズを保護するレンズカバーとを備え、
前記レンズカバーは、前記一面に沿ってスライドして前記ランプドア又は前記投写レンズを覆うことを特徴とするプロジェクタ。
【請求項２】
前記一面を備えた前記筐体の一縁部を一対の側板で挟み込んで前記一面を覆う前記レンズカバーと、前記側板と向き合った前記筐体の各面で前記レンズカバーをスライド自在に支持するスライド機構とを備えることを特徴とする請求項１に記載のプロジェクタ。
【請求項３】
前記スライド機構は、前記側板と向き合った前記筐体の前記各面に回転自在に支持された滑車と、前記滑車の外周面を覆って前記側板を前記各面に支持するタイヤとを備えていることを特徴とする請求項２に記載のプロジェクタ。
【請求項４】
前記滑車は、前記投写レンズと前記ランプドアとの間に位置する前記各面に支持されていることを特徴とする請求項３に記載のプロジェクタ。
【請求項５】
前記レンズカバーのスライドを前記投写レンズを覆った閉位置と前記ランプドアを覆った開位置とでロックするロック機構を備え、
前記ロック機構は、前記一面に開口した収容室に収容されたコイルバネと、前記コイルバネで前記収容室の外方に付勢されて、半球形状を有した先端部を前記収容室から前記一面の外方に突出させたロック部材と、前記一面と向き合う前記レンズカバーの一面に形成され、前記ロック部材の前記先端部に係止される係止凹部とを備えることを特徴とする請求項１〜４の何れかに記載のプロジェクタ。
【請求項６】
前記収容室は、前記投写レンズと前記ランプドアとの間に位置する前記一面に開口していることを特徴とする請求項５に記載のプロジェクタ。
【請求項７】
前記ランプドアには注意書きが描かれていることを特徴とする請求項１〜６の何れかに記載のプロジェクタ。
【発明の詳細な説明】
【技術分野】
【０００１】
本発明は、投写レンズを保護するレンズカバーとランプ交換口を塞ぐランプドアとを備えるプロジェクタに関する。
【背景技術】
【０００２】
プロジェクタには、光源となるランプの交換口を塞ぐランプドアと、投写レンズを覆って保護するレンズカバーとが備えられている。ランプの交換口は、プロジェクタを天吊した状態で交換する場合を考えて、前面に開口していることが望まれている。交換口を覆うランプドアは、使用時には高温になるためランプカバーで覆われる。
【０００３】
レンズカバーは、持ち運び時等の安全のために不使用時に投写レンズを覆う。下記の特許文献１に記載のプロジェクタでは、レンズカバーが備えるガイド突起にトーションバネの一端を固定し、レンズカバーを保持する保持板で他端を回転自在に支持して構成されている。ガイド突起は保持板のガイド孔に挿通されており、トーションバネの付勢力でガイド孔に沿ってスライドする。
【０００４】
トーションバネは、レンズカバーが全閉状態からスライドすると撓み量を増しながら他端部を中心に回転し、中立位置を通過すると撓み量を減らしながらレンズカバーが全開状態となるまで回転する。
【０００５】
【特許文献１】特開２００８−１０２３７６号公報
【発明の開示】
【発明が解決しようとする課題】
【０００６】
従来のプロジェクタでは、ランプカバーとレンズカバーとを筐体に備えるため、その分筐体のサイズが大きくなり、プロジェクタの小型化が妨げられる問題があった。
【０００７】
本発明は斯かる課題に鑑みてなされたもので、上記課題を解決できるプロジェクタを提供することを目的とする。
【課題を解決するための手段】
【０００８】
このような目的を達成するために、本発明のプロジェクタは、筐体の一面から外方を臨んだ投写レンズと、前記筐体に内蔵された交換可能なランプと、前記一面で前記ランプの交換口を塞いだランプドアと、前記投写レンズを保護するレンズカバーとを備え、前記レンズカバーが、前記一面に沿ってスライドして前記ランプドア又は前記投写レンズを覆うことを特徴とする。
また、本発明は、前記一面を備えた前記筐体の一縁部を一対の側板で挟み込んで前記一面を覆う前記レンズカバーと、前記側板と向き合った前記筐体の各面で前記レンズカバーをスライド自在に支持するスライド機構とを備えることを特徴とする。
また、本発明は、前記スライド機構が、前記側板と向き合った前記筐体の前記各面に回転自在に支持された滑車と、前記滑車の外周面を覆って前記側板を前記各面に支持するタイヤとを備えていることを特徴とする。
また、本発明は、前記滑車が、前記投写レンズと前記ランプドアとの間に位置する前記各面に支持されていることを特徴とする。
また、本発明は、前記レンズカバーのスライドを前記投写レンズを覆った閉位置と前記ランプドアを覆った開位置とでロックするロック機構を備え、前記ロック機構が、前記一面に開口した収容室に収容されたコイルバネと、前記コイルバネで前記収容室の外方に付勢されて、半球形状を有した先端部を前記収容室から前記一面の外方に突出させたロック部材と、前記一面と向き合う前記レンズカバーの一面に形成され、前記ロック部材の前記先端部に係止される係止凹部とを備えることを特徴とする。
また、本発明は、前記収容室が、前記投写レンズと前記ランプドアとの間に位置する前記一面に開口していることを特徴とする。
また、本発明は、前記ランプドアには注意書きが描かれていることを特徴とする。
【発明の効果】
【０００９】
本発明によれば、レンズカバーが筐体の一面に沿ってスライドしてランプドア又は投写レンズを覆うことから、レンズカバーをランプカバーとしても用いることができ、プロジェクタ装置の小型化を図ることができる。
【発明を実施するための最良の形態】
【００１０】
以下、図面を参照して、本発明の最良の形態を説明する。
図１は、本実施形態のプロジェクタ装置１の前方からの斜視図であり、（ａ）はレンズカバー１５を開いた状態、（ｂ）は閉じた状態を示している。図２は、レンズカバー１５を閉じた状態でのプロジェクタ装置１の正面図である。図３は、レンズカバー１５を取り外したプロジェクタ装置１の前方からの斜視図である。図４は、レンズカバー１５をスライドさせるスライド機構２を拡大して示す斜視図である。図５は、スライド機構２を拡大して示す正面図である。図６は、スライド機構２及びレンズカバー１５をロックするロック機構３を含んだ断面図である。
【００１１】
図１に示すように、プロジェクタ装置１は、四角箱状の筐体１１と、筐体１１の前面に備えられた投写レンズ１３と、投写用ランプの交換時に用いられるランプ交換口１１ｂ（図２参照）を筐体１１の前面で塞ぐランプドア１４と、投写レンズ１３を保護するレンズカバー１５とを備えている。筐体１１は、複数のボタン１２ａを備えた操作部１２を上面に、プロジェクタ装置１の設置面に対する高さ調整用の脚部１１ａを下面にそれぞれ備えている。
【００１２】
レンズカバー１５は、筐体１１の前面に沿って左右にスライドし、プロジェクタ装置１の使用時にはランプドア１４を覆った図１（ａ）に示す開位置で、不使用時には投写レンズ１３を覆った図１（ｂ）に示す閉位置でスライドをロックされる。図２に示すように、ランプドア１４は、交換時の注意書き１４ｂ等が前面に描かれており、筐体１１の前面に開口したランプ交換口１１ｂに嵌め込まれてビス１４ａで筐体１１にネジ止めされている。図３に示すように、投写レンズ１３は、筐体１１の前端部に設けられたレンズ収容部１１ｃに収容されている。
【００１３】
図３に示すように、投写レンズ１３とランプドア１４との間に位置する筐体１１の前端部には、レンズカバー１５を左右にスライドさせるためのスライド機構２が設けられている。図４，図５に拡大して示すように、スライド機構２は、筐体１１の前端部の上面及び下面を凹状に窪ませて構成されたスライド機構収容部１６に収容されている。
【００１４】
図６に示すように、レンズカバー１５は、筐体１１の前面を覆う前板１５ａと、前板１５ａの上縁及び下縁から後方に延びた側板１５ｂ及び側板１５ｃを備えており、一対の側板１５ｂ及び側板１５ｃで筐体１１の前縁部を挟み込み、前板１５ａで筐体１１の前面を覆っている。レンズカバー１５は、側板１５ｂ及び側板１５ｃをスライド機構２で支持して左右にスライドする。また、側板１５ｂ，側板１５ｃの後縁には、ガイド片１５ｂ２，１５ｃ２が設けられている。ガイド片１５ｂ２，１５ｃ２は、レンズ収容部１１ｃ及びスライド機構収容部１６よりも後方に位置する筐体１１の上面及び下面に形成されたガイド溝１１ｄ（図３も参照）に挿入されて、レンズカバー１５の左右へのスライドをガイドする。
【００１５】
図４〜図６に示すように、スライド機構２は、スライド機構収容部１６の底面１６ａから上方又は下方に延びた支持片２１と、支持片２１に回転自在に支持された樹脂製の滑車２３と、滑車２３の外周を覆う合成樹脂製（本実施形態ではゴム製）のタイヤ２２とを備えて構成されている。支持片２１は、平板の左右の縁部を後方に屈曲させた略コの字の横断面形状を有して上下方向に延びており、滑車２３を回転自在に支持する円筒状の支持軸２１ａが後面から後方に延びている。滑車２３は、外周面を周方向に沿って窪ませて構成されて環状を呈した環状窪み部２３ａを前後方向の中央部に備えており、環状窪み部２３ａにタイヤ２２が装着される。
【００１６】
タイヤ２２は、前端から後端にかけてタイヤ２２の軸心に沿って延びる溝部２２ａ（図５参照）を、その外周面に等間隔で配設されたゴム製のタイヤである。タイヤ２２は、その外周面がスライド機構収容部１６から上方又は下方に突出して筐体１１の上端面又は下端面よりも上方又は下方に位置するように配置されている。レンズカバー１５は、スライド機構２のタイヤ２２をガイドするガイド凹溝１５ｂ１，１５ｃ１を側板１５ｂ，側板１５ｃに備えている。タイヤ２２は、レンズカバー１５の側板１５ｂ又は側板１５ｃを裏面側から支持して、側板１５ｂ，側板１５ｃの左右への移動に伴い滑車２３と一体となって支持軸２１ａを中心として回転する。
【００１７】
上下の一対のスライド機構２の間に位置する筐体１１の前面には、ロック機構３を構成するロック部材３１が配置されている。ロック機構３は、筐体１１の前面の上下方向の中央部に開口するロック機構収容部１７に収容されており、上述したロック部材３１と、ロック部材３１をロック機構収容部１７から筐体１１の前方に付勢するコイルバネ３２とを備えている。
【００１８】
コイルバネ３２は、後端をロック機構収容部１７の底面に固定され、前端をロック部材３１に固定されている。ロック部材３１は、半球面状の前端面を備えてコイルバネ３２を収容する収容穴３１ｂを後端面に開口させた有底筒状体からなる。収容穴３１ｂには、コイルバネ３２の前端部を外環される外環突起３１ａが備えられている。ロック機構３は、コイルバネ３２でロック部材３１を前方に常時付勢している。前板１５ａの左右の両端部には、ロック機構３のロック部材３１を受ける係止凹部１５ａ１が備えられている。ロック部材３１は、コイルバネ３２により筐体１１の前方に常時付勢されており、レンズカバー１５が閉位置又は開位置まで移動して何れかの係止凹部１５ａ１と向き合うと、その係止凹部１５ａ１に先端を進入させて係止し、レンズカバー１５の左右方向への移動を規制する。
【００１９】
本実施形態によれば、レンズカバー１５がランプドア１４を覆って開位置に配置されることから、レンズカバー１５をランプドア１４のカバーとしても用いることができる。このため、ランプドア１４を別途設ける場合に比べてプロジェクタ装置１の小型化を図ることができる。
【００２０】
また、ランプドア１４の取付用のビス１４ａや注意書き１４ｂが開位置のレンズカバー１５で覆われることから、プロジェクタ装置１のデザイン性を向上させられる。また、使用時に高温となるランプドア１４にユーザーが触れるのを防止でき、安全性を向上させられる。また、ランプ交換時には注意書きが筐体１１の前方に現れることから、ランプの交換も安全に行うことができる。
【００２１】
また、投写レンズ１３とランプドア１４との間に位置する筐体１１の上面及び下面にスライド機構２を構成することで、筐体１１の上面及び下面の一対のスライド機構２を用いて、投写レンズ１３を覆った閉位置とランプドア１４を覆った開位置との間でレンズカバー１５をスライドさせられる。
【００２２】
レンズカバー１５の左右への移動に伴いタイヤ２２を回転させて側板１５ｂ，側板１５ｃをスライド自在に筐体１１に支持することから、レンズカバー１５のスライド範囲に関わらずに支持片２１，タイヤ２２，滑車２３でスライド機構２を構成することができ、スライド機構２の設置スペースを小さく抑えられる。
【００２３】
また、投写レンズ１３とランプドア１４との間に位置する筐体１１の前面に開口したロック機構収容部１７からロック機構３のロック部材３１を突出させて、前板１５ａの左右の両端部に係止凹部１５ａ１を設けることで、１つのロック機構３を用いてレンズカバー１５を開位置及び閉位置でロックできる。
【００２４】
また、ゴム製のタイヤ２２でレンズカバー１５を支持し、タイヤ２２と一体化した樹脂製の滑車２３を支持軸２１ａを中心として回転させることから、レンズカバー１５とタイヤ２２との擦れや異音を抑えることができる。
【００２５】
上記実施形態では、筐体１１の前面に設けられたレンズ収容部１１ｃに投写レンズ１３が備えられている場合について説明した。しかしながら、投写レンズ１３は筐体１１の前面から筐体１１の前方を臨んでおり、レンズカバー１５を筐体１１の前面に沿ってスライドさせられるのであれば、レンズ収容部１１ｃに備えられている必要はない。例えば、レンズ収容部１１ｃを備えずに投写レンズ１３を筐体１１に内蔵し、投写レンズ１３のズーム，フォーカス調整を電動で行う構成であってもよい。
【００２６】
また、上記実施形態では、ゴム製のタイヤ２２を用いた場合について説明したが、側板１５ｂ，側板１５ｃの裏面と接触して側板１５ｂ，側板１５ｃの移動に従って回転するのであれば、タイヤ２２の材質は任意である。また、タイヤ２２には溝部２２ａが設けられていなくてもよい。また、滑車２３の材質も樹脂には限られず任意である。また、ロック部材３１に係止されてレンズカバー１５のスライドをロックできるのであれば係止凹部１５ａ１の形状は任意であり、例えば、半球状の窪みでも、凹溝でもよい。
【００２７】
また、係止凹部１５ａ１に対するロック部材３１の係脱動作に電源のオン・オフ動作を連動させる等して、レンズカバー１５の開閉動作にプロジェクタ装置１の電源のオン・オフ動作を連動させる構成としてもよい。
【図面の簡単な説明】
【００２８】
【図１】本発明の一実施形態のプロジェクタ装置の前方からの斜視図であり、（ａ）は投写レンズを開いた状態、（ｂ）は閉じた状態を示している。
【図２】図１に示すプロジェクタ装置１の正面図である。
【図３】レンズカバーを取り外したプロジェクタ装置の前方からの斜視図である。
【図４】レンズカバーをスライドさせるスライド機構を拡大して示す斜視図である。
【図５】スライド機構を拡大して示す正面図である。
【図６】スライド機構及びレンズカバーをロックするロック機構を示す断面図である。
【符号の説明】
【００２９】
１          プロジェクタ装置
１１        筐体
１１ｂ      ランプ交換口
１１ｃ      レンズ収容部
１３        投写レンズ
１４        ランプドア
１５        レンズカバー
１５ａ      前板
１５ｂ      側板
１５ｃ      側板
１６        スライド機構収容部
１７        ロック機構収容部
２          スライド機構
２１        支持片
２２        タイヤ
２３        滑車
３          ロック機構
３１        ロック部材
３２        コイルバネ
【図１】
2010113132.tif 000003
【図２】
2010113132.tif 000004
【図３】
2010113132.tif 000005
【図５】
2010113132.tif 000006
【図６】
2010113132.tif 000007
【図４】
2010113132.tif 000008